(57)【要約】【課題】公開気象情報を有効活用して、的確かつ利便性の高い降雨予報を提供する。【解決手段】降雨予報提供装置１は、端末装置ＴＭから通信ネットワークＮＴを介して降雨予報要求位置を表す位置情報を受信する。また、降雨予報提供装置１は、気象データサーバＤＳから１ｋｍメッシュレーダデータ及び降水ナウキャストデータを受信し、データ格納部１３に記憶する。降雨判定部１４は、１ｋｍメッシュレーダデータ及び降水ナウキャストデータを順に読み出し、上記降雨予報要求位置を中心とする判定メッシュのうち雨域の割合である降水メッシュレートをそれぞれ算出する。降雨判定部１４において１ｋｍメッシュレーダデータ及びすべての降水ナウキャストデータの降水メッシュレートが閾値以下と判定された場合に、情報発信部１５は、１時間先には降雨がないことを表す降雨予報データを端末装置ＴＭに送信する。【選択図】      図１
2008008771.tif 000002
【特許請求の範囲】
【請求項１】
気象データサーバから定期的に提供される、一定時間経過後の降雨予測領域を含む降水予測データをもとに降雨予報を提供する降雨予報提供装置であって、
降雨予報要求位置を表す位置情報の入力を受け付ける位置情報入力手段と、
前記気象データサーバから提供される降水予測データを受信する降水予測データ受信手段と、
前記降雨予報要求位置に基づいて判定領域を決定し、この判定領域と前記降水予測データによる降雨予測領域とを比較して前記判定領域中の雨域割合を算出する雨域割合算出手段と、
前記雨域割合が閾値以下か否かを判定する判定手段と、
前記判定手段により閾値以下と判定された場合に、比較した降水予測データの予測時間経過後に降雨が無いことを表す降雨予報を出力する降雨予報出力手段と
を具備することを特徴とする降雨予報提供装置。
【請求項２】
前記気象データサーバが定期的に複数の予測時間の降水予測データを提供しているとき、
前記雨域割合算出手段は、前記複数の予測時間の降水予測データそれぞれによる複数の降雨予測領域を前記判定領域と比較して前記複数の予測時間の雨域割合を算出し、
前記判定手段は、前記複数の予測時間の雨域割合それぞれについて閾値と比較判定し、
前記降雨予報送信手段は、前記複数の予測時間のすべての雨域割合が閾値以下となるとき、最後の予測時間を降雨が無い予測時間とすることを特徴とする請求項１記載の降雨予報提供装置。
【請求項３】
前記雨域割合算出手段は、比較する降雨予測領域の予測時間に応じて前記判定領域を可変することを特徴とする請求項１または２記載の降雨予報提供装置。
【請求項４】
前記判定手段は、前記雨域割合算出手段で比較する降雨予測領域の予測時間に応じて前記閾値を可変することを特徴とする請求項１または２記載の降雨予報提供装置。
【請求項５】
前記雨域割合算出手段は、比較する降雨予測領域を前記降雨予報要求位置に応じて重み付けして前記判定領域中の雨域割合を算出することを特徴とする請求項１または２記載の降雨予報提供装置。
【請求項６】
気象データサーバから定期的に提供される、一定時間経過後の降雨予測領域を含む降水予測データを取得し、降雨予報要求位置に基づいて判定領域を決定し、この判定領域と前記降雨予測領域とを比較して前記判定領域中の雨域割合を算出し、この雨域割合が閾値以下か否かを判定し、閾値以下と判定された場合に、比較した降水予測データの予測時間経過後に降雨が無いことを表す降雨予報を出力する降雨予報提供装置と通信回線を介して接続される端末装置であって、
前記降雨予報提供装置に前記通信回線を介して前記降雨予報要求位置を表す位置情報を送信する送信手段と、
前記降雨予報提供装置から前記通信回線を介して通知される前記位置情報に対応する降雨予報を受信する受信手段と、
前記受信された降雨予報を提示する提示手段と
を具備することを特徴とする降雨予報受信端末装置。
【発明の詳細な説明】
【技術分野】
【０００１】
この発明は、例えば気象庁の気象データサーバから提供される降水予測情報をもとに降雨予報を提供する降雨予報提供装置及び降雨予報受信端末装置に関する。
【背景技術】
【０００２】
現在、気象庁から１ｋｍメッシュ気象レーダデータと降水ナウキャストデータが公開されている。１ｋｍメッシュ気象レーダデータは、気象庁による全国２０箇所での気象レーダ観測により得られたレーダエコーを合成し、１ｋｍ四方ごとの降水強度分布（ｍｍ／ｈ）で示したもので、これにより降水状況をより詳細に把握することが可能である。
【０００３】
また、降水ナウキャストデータは、気象レーダによる降水強度分布と、降水域の移動状況をもとに６０分先まで１０分間毎の雨量を１ｋｍ四方の領域ごとに予測するものである。このデータは、最新の観測に基づき１０分毎に更新されるため、急速に発達する雨雲の変化や移動を捉えることができる（例えば、非特許文献１を参照。）。
【特許文献１】気象庁、２００６年３月２７日検索、［online］、インターネット＜ＵＲＬ：http://www.jma.go.jp/JMA_HP/jma/index.html＞
【発明の開示】
【発明が解決しようとする課題】
【０００４】
ところが、上述したように詳細な気象情報が公開されているにも拘わらず、一般的にはあまり知られることがなく、広く活用されていないのが現状である。
【０００５】
この発明は上記事情に着目してなされたもので、その目的とするところは、公開気象情報を有効活用して、的確かつ利便性の高い降雨予報を提供する降雨予報提供装置及び降雨予報受信端末装置を提供することにある。
【課題を解決するための手段】
【０００６】
上記目的を達成するためにこの発明に係わる降雨予報提供装置は、気象データサーバから定期的に提供される、一定時間経過後の降雨予測領域を含む降水予測データをもとに降雨予報を提供する降雨予報提供装置であって、降雨予報要求位置を表す位置情報の入力を受け付ける位置情報入力手段と、前記気象データサーバから提供される降水予測データを受信する降水予測データ受信手段と、前記降雨予報要求位置に基づいて判定領域を決定し、この判定領域と前記降水予測データによる降雨予測領域とを比較して前記判定領域中の雨域割合を算出する雨域割合算出手段と、前記雨域割合が閾値以下か否かを判定する判定手段と、前記判定手段により閾値以下と判定された場合に、比較した降水予測データの予測時間経過後に降雨が無いことを表す降雨予報を出力する降雨予報出力手段とを具備することを特徴とする。
【０００７】
上記構成による降雨予報提供装置では、気象データサーバから提供される降水予測データによる降雨予測領域と、降雨予報要求位置に基づいて決定された判定領域とを比較して、判定領域における雨域の割合を算出する。そして、上記算出された雨域の割合が所定の閾値以下か否かの判定を行う。この判定において雨域の割合が閾値以下と判定された場合に、上記比較した降水予測データの予測時間経過後に降雨が無いことを表す降雨予報を出力する。このように構成することにより、公開された気象情報を有効活用して、的確かつ利便性の高い降雨予報を提供することが可能となる。
【０００８】
また、この発明に係わる降雨予報受信端末装置は、気象データサーバから定期的に提供される、一定時間経過後の降雨予測領域を含む降水予測データを取得し、降雨予報要求位置に基づいて判定領域を決定し、この判定領域と前記降雨予測領域とを比較して前記判定領域中の雨域割合を算出し、この雨域割合が閾値以下か否かを判定し、閾値以下と判定された場合に、比較した降水予測データの予測時間経過後に降雨が無いことを表す降雨予報を出力する降雨予報提供装置と通信回線を介して接続される端末装置であって、前記降雨予報提供装置に前記通信回線を介して前記降雨予報要求位置を表す位置情報を送信する送信手段と、前記降雨予報提供装置から前記通信回線を介して通知される前記位置情報に対応する降雨予報を受信する受信手段と、前記受信された降雨予報を提示する提示手段とを具備することを特徴とする。
【０００９】
上記構成による降雨予報受信端末装置では、降雨予報提供装置に対して降雨予報要求位置を表す位置情報を送信することにより、降雨予報提供装置から送信される上記降雨予報要求位置に対する降雨予報を受信して提示する。このように構成することにより、これにより、例えば１時間後には降雨予報要求位置の雨が止んでいるというような予測情報を利用者に報知することができるため、利用者の行動を支援することが可能となる。
【発明の効果】
【００１０】
したがってこの発明によれば、公開気象情報を有効活用して、的確かつ利便性の高い降雨予報を提供する降雨予報提供装置及び降雨予報受信端末装置を提供することができる。
【発明を実施するための最良の形態】
【００１１】
以下、図面を参照しながら本発明の実施の形態を詳細に説明する。  
図１は、この発明に係わる降雨予報提供装置及び降雨予報受信端末装置を備えた降雨予報提供システムの一実施形態を示すブロック構成図である。図１において、降雨予報提供装置１は、ネットワークＮＴを介して気象データサーバＤＳと端末装置ＴＭとにそれぞれ接続されている。端末装置ＴＭは、降雨予報提供装置１から提供される降雨予報を受信する端末装置であり、例えば、パーソナル・コンピュータや携帯電話等の携帯通信端末が用いられる。
【００１２】
降雨予報提供装置１の受信処理部１１は、通信インタフェース（通信Ｉ／Ｆ）１２を通じてネットワークＮＴに接続され、当該ネットワーク上の気象庁等の気象データサーバＤＳから配信される１ｋｍメッシュ気象レーダデータ及び降水ナウキャストデータを取得する。１ｋｍメッシュ気象レーダデータは、気象庁による全国２０箇所での気象レーダ観測により得られたレーダエコーを合成し、１ｋｍ四方ごとの降水強度分布（ｍｍ／ｈ）を示したものである。降水ナウキャストデータは、気象レーダによる降水強度分布と、降水域の移動状況をもとに６０分先までの１０分間毎の雨量を１ｋｍ四方の領域ごとに予測したもので、６ファイルのセットで構成される。受信処理部１１により取得された１ｋｍメッシュ気象レーダデータ及び降水ナウキャストデータはデータ格納部１３に記憶され、降雨判定部１４からの要求に応じて選択的に取り込まれる。
【００１３】
また、受信処理部１１は、携帯電話等の端末装置ＴＭから送られる降雨予報要求位置を表す位置情報をネットワークＮＴを介して受信する。この位置情報には、例えば緯度経度情報や住所等が利用される。降雨予報提供装置１は、この降雨予報要求位置を登録位置とし、この登録位置に関する降雨予報を端末装置ＴＭに提供する。降雨判定部１４は、データ格納部１３から１ｋｍメッシュ気象レーダデータ及び降水ナウキャストデータを読み出し、登録位置において１時間以内に降雨があるか否かの降水予測を行う。降水予測結果は情報発信部１５に出力され、降雨予報データとして通信Ｉ／Ｆ１２により端末装置ＴＭに向け送信される。
【００１４】
次に、以上のように構成された降雨予報提供システムの動作について説明する。図２は、降雨予報提供装置１の降雨判定部１４における降水予測の処理手順とその処理内容を示すフローチャートである。これに先立ち、降雨予報提供装置１は、端末装置ＴＭから降雨予報要求位置を含む降雨予報取得要求を受信したものとする。
【００１５】
まず、ステップＳ２１において、降雨判定部１４は、データ格納部１３から１ｋｍメッシュレーダデータを取得して、過去１時間以内に降雨があったか否かを判定する。過去１時間以内に降雨がなかったと判定された場合には終了となる。一方、過去１時間以内に降雨があった場合には、データ格納部１３から１０分後の予測のナウキャストデータを取得し、雨域の割合を示す降雨メッシュレートを算出する。ここで、降雨メッシュレートについて説明する。  
図３は、降雨メッシュレートを求める手法を示す図である。降雨予報位置である登録位置３１は、例えば端末装置ＴＭから降雨予報取得要求時に指定されるもので、雨域３２は降雨のある範囲を示す。判定メッシュ３３は、登録位置３１から所定の半径Ｘｋｍの領域とする。このとき、降雨メッシュレートは、次式にしたがって計算することができる。
【００１６】
降雨メッシュレート（％）＝（降雨メッシュ数）／（判定メッシュ数）×１００
ここで、上式において、判定メッシュ数は、上記判定メッシュ３３に含まれるメッシュの合計数である。また、降雨メッシュ数は、上記判定メッシュ数のうち１ｋｍメッシュレーダデータにおいて雨域３２に該当するメッシュ数である。
【００１７】
そして、ステップＳ２２において、上記算出された降雨メッシュレートが所定の閾値Ｙ％以下であるか否かを判定する。このようにして各々２０分後、３０分後、４０分後、５０分後、６０分後の予測のナウキャストデータを得て、ステップＳ２３で降雨メッシュレートが閾値以下になっているか否かを判定する。
【００１８】
この過程においてすべての時刻で、ナウキャストデータによる降雨メッシュレートが閾値以下になっていれば、ステップＳ２４において、６０分以内に雨が止むと判定される。６０分以内のいずれかの時刻にでもナウキャストデータから求められる降雨メッシュレートが閾値以上となっている場合は、雨は降り続くものと判定し、次の観測データを取得する際に再度判定を行う。
【００１９】
図４に、ナウキャストデータと登録位置との関係を示す。図４（ａ）は、現在の１ｋｍレーダデータの雨域状態を示し、ここではデータの信頼性が高いため，登録位置３１周辺の数メッシュのみで降雨判定を行う。一方、図４（ｂ）〜（ｇ）は、ナウキャストデータの１０分後、２０分後、３０分後、４０分後、５０分後、６０分後の雨域３２の状態を示す。図４（ｂ）〜（ｇ）において、判定メッシュ３３は、ナウキャストデータの不確実性を考慮し、予測時間が大きくなるほど判定メッシュを広げて降雨判定を行う。例えば、図４（ｃ）において、降雨メッシュレートが降雨判定の閾値Ｙ％（例えば１０％）以下であれば、ステップＳ２３において２０分後の判定は降雨無しと判定される。
【００２０】
したがって上記実施形態によれば、例えば気象庁の気象データサーバＤＳから提供される１ｋｍメッシュレーダデータ及び降水ナウキャストデータを利用することにより、登録位置における降雨予報を提供することができる。すなわち、１時間先に雨が降っているか否かの予測情報を利用者に報知することができるため、利用者の行動を支援することが可能となる。
【００２１】
なお、この発明は、上記実施形態に限定されるものではない。例えば、上記実施形態では、１０分後から６０分後まですべての予測時間において降雨メッシュレートが閾値以下となる場合に雨が止むと通知するように構成したが、特定の予測時間のナウキャストデータが閾値以下と判定された場合にその予測時間に雨が止むと判定することももちろん可能である。この場合、上記実施形態と比較すると信頼性が低下するが、迅速に降雨判定結果を利用者に通知することができる。
【００２２】
また、ナウキャストデータの降雨判定方法において、予測時間に応じて判定領域を可変にするように構成したが、降雨メッシュレートの閾値を可変にしてもよい。つまり、予測時間が大きくなるにつれて雨判定とする閾値を高くすることにより、予測時間が大きくなった場合でも、降雨予報の信頼性を保持することができる。さらに、判定領域と降雨メッシュレートの閾値の２つの設定値を組み合わせて可変にするように構成してもよい。
【００２３】
また、降雨判定において、判定領域に存在する雨域が登録位置に近いほど重み付けして、降雨状態であるか否かを判定することもできる。このようにすることにより、登録位置における降雨判定をより確実に行うことが可能となる。
【００２４】
また、上記実施形態では、気象庁が公開している降水ナウキャストデータを利用する場合について説明したが、同様の気象予測情報を公開している気象データサーバが存在する場合には、これを利用することも可能である。  
その他、降雨予報提供装置の構成や活用する気象予測データの種類や形式、また、降雨判定処理の手順とその内容についても、この発明の要旨を逸脱しない範囲で種々変形して実施できる。
【００２５】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２６】
【図１】この発明に係わる降雨予報提供システムの一実施形態の構成を示すブロック図。
【図２】図1に示す降雨予報提供装置の降雨判定動作の処理手順とその処理内容を示すフローチャート。
【図３】降雨メッシュレートを求める手法を示す図。
【図４】ナウキャストデータと登録位置の関係を示す図。
【符号の説明】
【００２７】
１…降雨予報提供装置、１１…受信処理部、１２…通信インタフェース、１３…データ格納部、１４…降雨判定部、１５…情報発信部、ＮＴ…ネットワーク、ＤＳ…気象データサーバ、ＴＭ…端末装置。
【図１】
2008008771.tif 000003
【図２】
2008008771.tif 000004
【図３】
2008008771.tif 000005
【図４】
2008008771.tif 000006